(57)【要約】      （修正有）【課題】かご呼び釦の割当変更による配線変更が必要なく、フラットケーブルやテープ電線のモジュール化を可能にして作業負荷や時間を低減して配線ミスを防止する。【解決手段】エレベータ伝送制御装置は、かご呼び釦ユニット１１と、その入出力を制御する入出力回路８と主制御装置１との通信を制御する伝送制御部４を含むかご操作盤制御装置３と、を含むかご操作盤２を備え、かご呼び釦からの入カデータを主制御装置１へ通信する際に釦アドレスから主制御装置１の伝送アドレスヘの変換データを格納する呼びデータ変換テーブル格納メモリ６と、釦アドレスから伝送アドレスヘ変換する呼びデータ変換演算メモリ７と、釦アドレスと伝送アドレスとの関係を切り換えるアドレス設定切換部１０と、この切換部１０でアドレス設定モードが設定された場合かご呼び釦の押し回数に応じて釦アドレスと伝送アドレスとの関係を変更可能なアドレス対応変更手段４０とを備える。【選択図】図１
2008063054.tif 000002
【特許請求の範囲】
【請求項１】
異なる釦アドレスをそれぞれ有する複数のかご呼び釦を所定順序で配置するかご呼び釦ユニットと、前記かご呼び釦ユニットへの入出力を制御する入出力回路および主制御装置との間の通信を制御する伝送制御部を少なくとも有するかご操作盤制御装置と、を含むかご操作盤を備えるエレベータ伝送制御装置において、
前記かご呼び釦からの入カデータを前記主制御装置へとシリアル通信する際に前記かご操作盤制御装置へ入力される前記釦アドレスから前記主制御装置の伝送アドレスヘと変換する変換データを格納する呼びデータ変換テーブル格納メモリと、
前記呼びデータ変換テーブル格納メモリに格納された前記変換データを用いて前記釦アドレスから前記主制御装置への伝送アドレスヘ変換する呼びデータ変換演算メモリと、
前記かご操作盤に設けられて前記入出力回路を介して入力される個別のかご呼び釦からの前記釦アドレスと前記伝送アドレスとの間の対応関係の設定を切り換えるアドレス設定切換部と、
前記伝送制御部に設けられ、前記アドレス設定切換部によりアドレス設定モードが設定された場合、前記かご呼び釦を押した回数に応じて前記釦アドレスと前記伝送アドレスとの対応関係の設定を変更可能なアドレス対応変更手段と、
を備えることを特徴とするエレベータ伝送制御装置。
【請求項２】
前記伝送制御部は、前記かご操作盤の前記釦アドレスを前記主制御装置との前記伝送アドレスに変換する固定値を予め格納すると共に、前記データ変換テーブル格納メモリに前記呼びデータ変換テーブルが格納されていない場合には、前記固定値を用いて前記釦アドレスを前記伝送アドレスに自動的に変換する機能をさらに備えることを特徴とする請求項１に記載のエレベータ伝送制御装置。
【請求項３】
前記アドレス設定切換部は、アドレス消去モードを設定するアドレス消去スイッチをさらに備え、前記アドレス消去スイッチがアドレス消去モードに設定された場合、前記呼びデータ変換テーブル格納メモリに格納された前記変換テーブルデータが消去される機能を備えることを特徴とする請求項２に記載のエレベータ伝送制御装置。
【請求項４】
前記アドレス設定切換部は、伝送アドレス消去スイッチにてアドレス消去モードが設定されて伝送アドレス消去中に、伝送アドレス消去を実行していることを階床・方向表示灯に表示して、消去完了後に消去が完了したことを前記階床・方向表示灯に表示する機能を備えることを特徴とする請求項３に記載のエレベータ伝送制御装置。
【請求項５】
前記アドレス設定切換部は、伝送アドレス設定中に前記伝送アドレスを設定している釦の押した回数を前記階床・方向表示灯に表示する機能を備えることを特徴とする請求項３または請求項４の何れかに記載のエレベータ伝送制御装置。
【請求項６】
前記かご操作盤制御装置に音声出力機能を備え、前記伝送アドレス設定スイッチがアドレス設定モードに設定されてから所定の時間、かご呼び釦が押されない場合にスイッチの戻し忘れを音声で通知する機能を備えることを特徴とする請求項５に記載のエレベータ伝送制御装置。
【請求項７】
かご操作盤制御装置に音声出力機能を備え、伝送アドレス消去スイッチがアドレス消去モードに設定されてから所定の時間、かご呼び釦が押されない場合にスイッチの戻し忘れを音声でアナウンスする機能を備えることを特徴とする請求項６に記載のエレベータ伝送制御装置。
【発明の詳細な説明】
【技術分野】
【０００１】
本発明はかご呼び釦の階床レイアウトの変更に影響されず、かご呼び釦とかご操作盤内のかご操作装置の配線を一様にすることが可能なエレベータ伝送制御装置に関する。
【背景技術】
【０００２】
図６は、従来のエレベータ伝送制御装置の構成を示すブロック図である。エレベータのかご呼び釦の制御に必要な装置は、主制御装置１とかご操作盤２で構成される。主制御装置１は、かご操作盤２からかご呼び釦１１ａ，１１ｂ、１１ｃ、…，１１ｎの何れかが押されたことを検出してかご呼び釦１１ａ〜１１ｎの何れかの呼び登録灯を点灯させる指令をかご操作盤２に送信する。
【０００３】
かご操作盤２は、かご操作盤制御装置３と、かご呼び釦ユニット１１とより構成され、かご操作盤制御装置３とかご呼び釦ユニット１１との間は電線で接続されている。かご操作盤制御装置３は、主制御装置１との通信を行なうための伝送制御部としての伝送制卸ＣＰＵ（Central Processing Unit―中央処理ユニット―）４と、階床・方向表示灯５と、入出力回路８と、音声合成回路１２を備える。
【０００４】
一般に、伝送制御ＣＰＵ４は、８ビットまたは１６ビットのＣＰＵが使用され、入出力回路８から入力されるかご呼び釦信号を主制御装置１に直列通信信号に変換する機能と、主制御装置１から受信した直列通信信号に従ってかご操作盤制御装置３の内部または周辺機器への指令を行なう機能を備える。
【０００５】
かご操作盤制御装置３の内部または周辺機器への指令を具体的に説明すると、伝送制御ＣＰＵ４から入出力回路８を経由してかご呼び釦１１ａ〜１１ｎへ釦を点灯する指令を送出して、所定のかご呼び釦の登録灯を点灯させる機能や、伝送制御ＣＰＵ４から階床・方向灯５へ階床表示指令や方向表示指令を送出してエレベータの停止階床と移動方向を表示する機能や、伝送制御ＣＰＵ４から音声合成装置１２へ音声指令を送出してかご内に音声を出力する機能などがある。
【０００６】
かご呼び釦ユニット１１にはかご呼び釦１１ａ〜１１ｎが複数搭載されており、伝送制御ＣＰＵ４や入出力回路８が８ビット単位で回路を構成している性質上、一般に、ひとつのかご呼び釦ユニット１１には８つ（ｎ＝８）のかご呼び釦１１ａ〜１１ｎが搭載されている。
【０００７】
かご呼び釦ユニット１１に８つ単位でかご呼び釦１１ａ〜１１ｎを搭載することで、入出力回路８とかご呼び釦ユニット１１の間を接続する電線は、フラットケーブルやテープ電線といった複数の電線を１つのユニットとした電線を使用することが可能となり、かご内の配線本数の削減効果が生まれ、かご操作盤２を製作する場合に製造者の配線接続の時間が短縮できるといったメリットが生まれる。このようにして、一般的な量産型のエレベータのかご呼び釦は標準の配置を決定することにより、大量生産に対応可能なように製造の効率化を図っている。従来のエレベータ装置の一例としては、特許文献１に記載された技術がある。
【特許文献１】特開２０００−２９６９７２号公報
【発明の開示】
【発明が解決しようとする課題】
【０００８】
しかしながら、かご呼び釦のレイアウトは仕様によって多岐にわたることがあり、さまざまな釦の配置が想定される。例えば特許文献１にもあるように釦を一列に配置するものもあれば二列の千鳥配置にするものもあり、さらに中抜け階、段違い階といった仕様もあるため釦の配置に規則性がないことから、これらに対応するには仕様毎に配線の接続を変化させなければならない。
【０００９】
また、エレベータの制御をマイクロコンピュータによって実現することができるようになって以降、エレベータの仕様は以前に増して顧客のさまざまな要望を生み、仕様の複雑化とともに短期間で顧客のさまざまなニーズに応えることによって製品の発展を遂げてきている。それゆえに、稀ではあるが出荷前に停止階床の中抜け、段違い階床の追加や取り消しといった仕様変更が生じた場合にも迅速に対処していかなければならない。
【００１０】
このため、第１に配線を１本１本バラバラの電線で接続するために組み立てに多大な時間を要する、第２に製造者が複雑な配線パターンを理解するのに時間を要する、第３に配線パターンが複雑なために配線ミスを生じる虞がある、第４に設計上の接続図面の種類が膨大となり設計者の設計負荷を増大させる、第５に出荷直前に仕様の変更によって中抜け階や段違い階があることが判明した場合に緊急の改造であるため配線ミスが生じる虞があり、とりわけ一旦フラットケーブルやテープ電線の接続で対応が可能な物件でこのような配線ミスの問題が発生したときには、最悪の場合、配線を１本１本バラバラの電線に変更しなければならないなどの大幅な設計変更を伴うため出荷に多大な影響を与える可能性がある、といったいくつかの課題があった。
【００１１】
これらの課題については、特許文献１でもこれらの課題を解決するために、主制御装置の内部のＥＥＰＲＯＭを使用して、かご呼びボタンのレイアウトの変化要因の影響に左右されない配線を実現する制御方法が提案されているが、近年主流となっているエレベータ伝送制御装置は主制御装置が昇降路内に配置されているものが圧倒的に多いため、この場合、データの設定誤りがあると作業員は昇降路内部の主制御装置に格納されたデータを修正する作業を行なわなければならず、作業負荷が大きいといった課題がある。
【００１２】
また、主制御装置のデータを変更するために特定の乗り場から主制御装置のデータを変更するエレベータもあるが、乗り場で点検作業を行う場合には、乗り場周囲の環境によっては十分な作業場を確保し難い物件も存在し、作業効率が低下する課題がある。
【００１３】
本発明は、このような点を考慮してなされたものであり、仕様の変更等に伴うかご呼び釦の割当変更によって配線変更する必要がなく、いかなる仕様においても配線にフラットケーブルやテープ電線などのモジュール化されたケーブルの採用を可能として設計作業や配線作業に要する負荷および時間を低減して、配線ミスの発生を防止することのできるエレベータ伝送制御装置を提供することを目的とする。
【課題を解決するための手段】
【００１４】
上記目的を達成するため、本発明の基本構成としての第１構成に係るエレベータ伝送制御装置は、異なる釦アドレスをそれぞれ有する複数のかご呼び釦を所定順序で配置するかご呼び釦ユニットと、前記かご呼び釦ユニットへの入出力を制御する入出力回路および主制御装置との間の通信を制御する伝送制御部を少なくとも有するかご操作盤制御装置と、を含むかご操作盤を備えるエレベータ伝送制御装置において、前記かご呼び釦からの入カデータを前記主制御装置へとシリアル通信する際に前記かご操作盤制御装置へ入力される前記釦アドレスから前記主制御装置の伝送アドレスヘと変換する変換データを格納する呼びデータ変換テーブル格納メモリと、前記呼びデータ変換テーブル格納メモリに格納された前記変換データを用いて前記釦アドレスから前記主制御装置への伝送アドレスヘ変換する呼びデータ変換演算メモリと、前記かご操作盤に設けられて前記入出力回路を介して入力される個別のかご呼び釦からの前記釦アドレスと前記伝送アドレスとの間の対応関係の設定を切り換えるアドレス設定切換部と、前記伝送制御部に設けられて前記アドレス設定切換部によりアドレス設定モードが設定された場合に前記かご呼び釦を押した回数に応じて前記釦アドレスと前記伝送アドレスとの対応関係の設定を変更可能なアドレス対応変更手段と、を備えることを特徴とする。
【００１５】
本発明の第２構成に係るエレベータ伝送制御装置は、第１構成に記載のものにおいて、前記伝送制御部は、前記かご操作盤の前記釦アドレスを前記主制御装置との前記伝送アドレスに変換する固定値を予め格納すると共に、前記データ変換テーブル格納メモリに前記呼びデータ変換テーブルが格納されていない場合には、前記固定値を用いて前記釦アドレスを前記伝送アドレスに自動的に変換する機能をさらに備えることを特徴とする。
【００１６】
本発明の第３構成に係るエレベータ伝送制御装置は、第２構成に記載のものにおいて、前記アドレス設定切換部は、アドレス消去モードを設定するアドレス消去スイッチをさらに備え、前記アドレス消去スイッチがアドレス消去モードに設定された場合、前記呼びデータ変換テーブル格納メモリに格納された前記変換テーブルデータが消去される機能を備えることを特徴とする。
【００１７】
本発明の第４構成に係るエレベータ伝送制御装置は、第３構成に記載のものにおいて、前記アドレス設定切換部は、伝送アドレス消去スイッチにてアドレス消去モードが設定されて伝送アドレス消去中に、伝送アドレス消去を実行していることを階床・方向表示灯に表示して、消去完了後に消去が完了したことを前記階床・方向表示灯に表示する機能を備えることを特徴とする。
【００１８】
本発明の第５構成に係るエレベータ伝送制御装置は、第３または第４構成に記載のものにおいて、前記アドレス設定切換部は、伝送アドレス設定中に前記伝送アドレスを設定している釦が押された回数を前記階床・方向表示灯に表示する機能を備えることを特徴とする。
【００１９】
本発明の第６構成に係るエレベータ伝送制御装置は、第５構成に記載のものにおいて、  前記かご操作盤制御装置に音声出力機能を備え、前記伝送アドレス設定スイッチがアドレス設定モードに設定されてから所定の時間、かご呼び釦が押されない場合にスイッチの戻し忘れを音声で通知する機能を備えることを特徴とする。
【００２０】
本発明の第７構成に係るエレベータ伝送制御装置は、第６構成に記載のものにおいて、  かご操作盤制御装置に音声出力機能を備え、伝送アドレス消去スイッチがアドレス消去モードに設定されてから所定の時間、かご呼び釦が押されない場合にスイッチの戻し忘れを音声でアナウンスする機能を備えることを特徴とする。
【発明の効果】
【００２１】
本発明によれば、呼びボタンのレイアウトの変化要因の影響に左右されない配線を実現できるため、配線ケーブルにフラットケーブルやテープ電線などのモジュール化されたケーブルを採用することで製造時に配線作業に要する時間を短縮可能なエレベータ伝送制御装置を得ることができる。
【発明を実施するための最良の形態】
【００２２】
（第１実施形態）
図１は、本発明の第１実施形態に係るエレベータ伝送制御装置の構成を示すブロック図である。伝送制御装置の構成は、従来のエレベータ伝送制御装置の構成に対して、かご操作盤２に、スイッチボックス９を設け、このスイッチボックス９にアドレス設定切換部としてのアドレス設定・消去スイッチ１０を備えると共に、かご操作盤制御装置３に呼びデータ変換テーブル格納メモリ６と呼びデータ変換演算メモリ７とが追加された構成となっている。また、伝送制御部（伝送制御ＣＰＵ）４は、スイッチボックス９に設けられたアドレス設定切換部としてのアドレス設定・消去スイッチ１０によりアドレス設定モードが設定された場合、かご呼び釦１１ａ〜１１ｎを押した回数や組み合わせに応じて釦アドレスと伝送アドレスとの対応関係の設定を変更可能なアドレス対応変更手段４０を備えている。
【００２３】
かご操作盤２のアドレス設定切換部としてのアドレス設定・消去スイッチ１０が設けられるスイッチボックス９は、一般にエレベータの運転で一般乗客が操作できないように鍵がかけられており、従来の装置においてもエレベータの各階停止運転、専用運転、点検時上昇運転、点検時下降運転などを実現するための他のスイッチが備えられている。本発明においては、本発明の構成に必要な機能として、エレベータの呼び釦からの設定を行なうために、スイッチボックス９内にアドレス設定・消去スイッチ１０を付加する構成となっている。
【００２４】
かご操作盤制御装置３に備える呼び変換テーブル格納メモリ６には不揮発性のメモリを採用し、一般に２ＫＢ程度のシリアルＥＥＰＲＯＭを採用する。また、かご制御盤制御装置３に設けられる呼びデータ変換演算メモリ７には揮発性のメモリを採用し、一般に２５６ＫＢ程度のＳＲＡＭを採用する。
【００２５】
次に、かご呼び釦ユニット１１の釦配列の並び替えの手順について説明する。かご呼び釦ユニット１１は、かご操作盤制御装置３の入出力回路８と接続されているので、伝送制御ＣＰＵ４からかご呼び釦ユニット１１の中の特定の呼び釦が有する釦アドレスは、固有のアドレスが決められている。
【００２６】
この釦アドレスは、図２の上段に示すように、呼び釦が押されたかどうかを検出する信号の場合、最下階呼び釦入力１３ａは釦入力アドレス１のビット０、最下階＋１階呼び釦入力１４ａは釦入力アドレス１のビット１、最下階＋２階呼び釦入力１５ａは釦入力アドレス１のビット２、最下階＋８階呼び釦入力１６ａは釦入力アドレス２のビット０・・・、最下階＋１５階呼び釦入力１７ａは釦入力アドレス２のビット７、最下階＋ｎ階呼び釦入力１８ａは釦入力アドレスｍのビット３と決められている。
【００２７】
また、呼びボタンを点灯させる指令信号は、図２の下段に示すように、最下階呼び釦出力１３ｂは釦出力アドレス１のビット０、最下階＋１階呼び釦出力１４ｂは釦出力アドレス１のビット１、最下階＋２階呼び釦出力１５ｂは釦出力アドレス１のビット２、最下階＋８階呼び釦出力１６ｂは釦出力アドレス２のビット０・・・、最下階＋１５階呼び釦出力１７ｂは釦出力アドレス２のビット７、最下階＋ｎ階呼び釦出力１８ｂは釦出力アドレスｍのビット３と決められている。
【００２８】
伝送制御ＣＰＵ４は呼び釦入出力信号を主制御装置１と直列通信する場合に伝送アドレスの配列に並び替えて通信しているので、このアドレス変換を行なう場合に、例えばかご呼び釦のアドレス設定、すなわちアドレス設定が可能な機能を備えることで図３に示すような伝送アドレスの配列に変換して、かご呼び釦のアドレスを任意で変更する機能を実現できる。
【００２９】
例えば、図３の上段に示すように、アドレス設定で１回押した釦の入力１３ｃは伝送アドレス釦入力アドレス１のビット０、アドレス設定で２回押した釦の入力１４ｃは伝送アドレス釦入力アドレス１のビット１、アドレス設定で３回押した釦の入力１５ｃは伝送アドレス釦入力アドレス１のビット２、アドレス設定で９回押した釦の入力１６ｃは伝送アドレス釦入力アドレス２のビット０、アドレス設定で１６回押した釦の入力１７ｃは伝送アドレス釦入力アドレス２のビット７、アドレス設定でｎ＋１回押した釦の入力１８ｃは伝送アドレス釦入力アドレスｍのビット３のように並べ換える。
【００３０】
同様に、図３の下段に示すように、アドレス設定で１回押した釦の出力１３ｄは伝送アドレス釦出力アドレス１のビット０、アドレス設定で２回押した釦の出力１４ｄは伝送アドレス釦出力アドノス１のビット１、アドレス設定で３回押した釦の出力１５ｄは伝送アドレス釦出力アドレス１のビット２、アドレス設定で９回押した釦の出力１６ｄは伝送アドレス釦出力アドレス２のビット０、アドレス設定で１６回押した釦の出力１７ｄは伝送アドレス釦出力アドレス２のビット７、アドレス設定でｎ＋１回押した釦の出力１８ｄは伝送アドレス釦出力アドレスｍのビット３といったように並べ換える。
【００３１】
このような並べ換えを行なうために、図４に示すデータ配列を呼びデータ変換テーブル格納メモリ６に格納する。メモリの先頭アドレスに最下階釦の入力伝送アドレス、以降先頭アドレスから順に最下階釦の入力伝送データビット、最下階＋１階釦の入力伝送アドレス、最下階＋１階釦の入力伝送データビット、最下階＋２階釦の入力伝送アドレス、最下階＋２階釦の入力伝送データビット、最下階＋ｎ階釦の入力伝送アドレス、最下階＋ｎ階釦の入力伝送データビット、と格納する。また、呼び釦の出力アドレスと出力伝送データビットも図４に示すアドレス以降に同様に格納することで配列の並べ替えに必要なデータを準備できる。
【００３２】
格納データは、伝送制御ＣＰＵ４が入出力回路８から読み出したデータを伝送アドレスのどのアドレスに変換するかを決定するために必要なデータであり、変換作業を呼びデータ変換演算メモリ７で実現する。同様に、伝送制御ＣＰＵ４が主制御装置１から受信した指令に基づいて、どの入出力回路へ呼び釦の点灯指令を送出するかを決定するために、格納データを使用して、変換作業を呼びデータ変換演算メモリ７で実現する。
【００３３】
また、図４の呼びデータ変換テーブル格納メモリ６のデータ配列の中で、アドレス設定されていない階の釦の伝送アドレス、伝送データビットのテーブルには例えばＦＦｈといった特定の固定データを設定して、伝送制御ＣＰＵ４は特定の固定データを読み出した場合にはアドレス設定されていない釦の入力検出は主制御装置１に送信せず、反対に主制御装置１から受信したデータもアドレス設定されていない釦へは出力しないようにすることにより、中抜け階の釦の制御を不能にする機能を実現する。
【００３４】
次に、呼びデータ変換テープル格納メモリ６にデータを格納する手順について、図５を参照しながら説明する。ステップＳＴ１０で、かご操作盤制御装置３に電源が投入されると、伝送制御ＣＰＵ４は電源投入によってプログラムを実行するためにステップＳＴ２０で初期化を行なう。ステップＳＴ２０で初期化が完了した時点でアドレス消去・設定スイッチ１０からアドレス消去モードの信号を検出したか否かをステップＳＴ２１で確認し、確認された場合はステップＳＴ２２で呼びデータ変換テーブル格納メモリ６のデータを消去する。データ変換テーブル格納メモリ６のデータの消去後、ステップＳＴ２１で再びアドレス消去モードか否かを確認する。
【００３５】
また、呼びデータ変換テーブル格納メモリ６のデータを消去中には作業員に消去中であることを認識させるために伝送制御ＣＰＵ４は音声合成装置１２に「データ消去中です」などのアナウンスを行なうと共に、階床・方向表示灯５に「データ消去中」などの文字を表示する。
【００３６】
ここで、作業員がアドレス設定・消去スイッチ１０をアドレス消去モードに設定したまま点検調整を完了する場合には、かご呼び釦の設定が完了しないままの状態が継続してしまうことになる。この設定の未完了な状態の継続を防止するため、アドレス消去モードとなって一定時間かご呼び釦が押されない場合には、伝送制御ＣＰＵ４は音声合成装置１２に「アドレス消去スイッチを元に戻してください」「かご呼び釦の設定が未完了です」などのアナウンスを行なわせるように設定されている。
【００３７】
次に、ステップＳＴ２１でアドレス消去モードの信号を検出しない場合には、アドレス消去・設定スイッチ１０からアドレス設定モードの信号を検出したか否かをステップＳＴ２３で確認して、検出した場合はステップＳＴ２４でアドレス設定モードを実行する。ステップＳＴ２４のアドレス設定モードでは、かご呼び釦を押した回数に従った伝送アドレスと伝送データビットを呼びデータ変換テーブル格納メモリ６に格納する。このとき呼び釦を押した回数を作業者が間違えないようにするため、伝送制御ＣＰＵ４は階床・方向表示灯５を使用して釦を押した回数を表示する機能を備える。
【００３８】
伝送制御ＣＰＵ４はアドレス設定モードの信号を検出した場合、所定時間かご呼び釦が押されないことを確認した場合には音声合成装置１２に「アドレス設定スイッチを元に戻してください」などのアナウンスを行なって通常モードに復帰することを作業者に促す機能を備える。
【００３９】
アドレス設定モードか否かを判断するステップＳＴ２３でアドレス設定モードの信号を検出しない場合には、ステップＳＴ２５で呼びデータ変換テーブル格納メモリ６のデータが空かどうかを確認して、空の場合にはステップＳＴ２６で呼びデータ変換テーブル格納メモリ６に標準変換データを格納する。
【００４０】
ステップＳＴ２５での呼びデータ変換テーブル格納メモリ６のデータが空かどうかの確認方法は、空の場合には呼びデータ変換テーブル格納メモリ６のデータがすべてＦＦｈのデータで埋まっているため、図４に記すデータ格納範囲のチェックサムが全てＦＦｈの場合のチェックサム値かどうかを伝送制御ＣＰＵ４が判別することで空か否かの確認は実現できる。また、データ格納範囲を伝送制御ＣＰＵ４が読み出して全てのデータをＦＦｈと比較してすべてＦＦｈならばデータが空、そうでなければデータセットと判断することで確認を実現できる。
【００４１】
ステップＳＴ２６の呼びデータ変換テーブル格納メモリ６に標準変換データを格納する方法は、伝送制御ＣＰＵ４のプログラム内部に標準変換データを格納しておき呼びデータ変換テーブル格納メモリ６に転送することによって実現できる。
【００４２】
ステップＳＴ２６で呼びデータ変換テーブル格納メモリ６に標準変換データを格納した後、またはステップＳＴ２５の判断の結果として呼びデータ変換テーブル格納メモリ６のデータが空でない場合には、ステップＳＴ２７で呼びデータ変換テーブル格納メモリ６から入出力回路アドレス−伝送アドレス変換データを読み出し、ステップＳＴ２８で呼び釦入力データを入出力回路８から読み出して伝送入力アドレスへ変換する。すなわち、アドレス変換を行なう。ステップＳＴ２８のアドレス変換は、図４の格納データを基に変換することにより実現される。
【００４３】
次に、ステップＳＴ２９で伝送制御ＣＰＵ４は主制御装置１に呼び釦入力データを送信して、ステップＳＴ３０で主制御装置１から呼び釦出力データを受信する。このステップＳＴ３０で主制御装置１から呼び釦出力データを受信した後、ステップＳＴ３１で伝送制御ＣＰＵ４は呼び釦出力データを伝送出力アドレスから読み出し入出力回路アドレスに変換する。すなわち、ステップＳＴ３１ではアドレス変換して呼び釦出力指令をすることで希望のかご呼び釦を点灯する機能を実現する。
【００４４】
以上の手順を実行した後、伝送制御ＣＰＵ４はステップＳＴ２１で再びアドレス消去モードか否かを判断し、以降同じ手続きを繰り返すことにより、かご呼び釦の配列を自由に変更可能な制御装置を実現することができる。なお、この第１実施形態では、便宜上最下階から最下階＋ｎ階までのかご呼び釦を決定するための機能と手段について説明したが、段違い階や中間階が存在するエレベータにおいても釦のＩＤすなわち便宜上の記号を決めて第１実施形態のような規則を決めて運用することで、釦の配置が物理的に固定されていても同様に釦の設定を任意に変更することが実現可能となる。
【図面の簡単な説明】
【００４５】
【図１】第１実施形態に係るエレベータ伝送制御装置の構成を示すブロック図。
【図２】第１実施形態のかご操作盤制御装置における呼び釦の入出力回路のアドレスとデータの配列を示す説明図。
【図３】第１実施形態の主制御装置とかご操作盤制御装置の伝送アドレスの配列を示す説明図。
【図４】第１実施形態の呼びデータ変換テーブル格納メモリのデータ配列を示す説明図。
【図５】第１実施形態に係る伝送制御ＣＰＵの釦アドレス−伝送アドレスの変換手順を示すフローチャート。
【図６】従来のエレベータ伝送制御装置の構成の一例を示すブロック図。
【符号の説明】
【００４６】
１  主制御装置
２  かご操作盤
３  かご操作盤制御装置
４  伝送制御部（伝送制御ＣＰＵ）
５  階床・方向表示灯
６  呼びデータ変換テーブル格納メモリ
７  呼びデータ変換演算メモリ
８  入出力回路
９  スイッチボックス
１０  アドレス設定切換部（アドレス設定・消去スイッチ）
１１  かご呼び釦ユニット
１１ａ  最下階呼び釦
１１ｂ  最下階＋１階呼び釦
１１ｃ  最下階＋２階呼び釦
１１ｄ  最下階＋ｎ階呼び釦
１２  音声合成装置
１３ａ  最下階呼び釦入力
１３ｂ  最下階呼び釦出力
１３ｃ  アドレス設定で１回押した釦の入力
１３ｄ  アドレス設定で１回押した釦の出力
１４ａ  最下階＋１階呼び釦入力
１４ｂ  最下階＋１階呼び釦出力
１４ｃ  アドレス設定で２回押した釦の入力
１４ｄ  アドレス設定で２回押した釦の出力
１５ａ  最下階＋２階呼び釦入力
１５ｂ  最下階＋２階呼び釦出力
１５ｃ  アドレス設定で３回押した釦の入力
１５ｄ  アドレス設定で３回押した釦の出力
１６ａ  最下階＋８階呼び釦入力
１６ｂ  最下階＋８階呼び釦出力
１６ｃ  アドレス設定で９回押した釦の入力
１６ｄ  アドレス設定で９回押した釦の出力
１７ａ  最下階＋１５階呼び釦入力
１７ｂ  最下階＋１５階呼び釦出力
１７ｃ  アドレス設定で１６回押した釦の入力
１７ｄ  アドレス設定で１６回押した釦の出力
１８ａ  最下階＋ｎ階呼び釦入力
１８ｂ  最下階＋ｎ階呼び釦出力
１８ｃ  アドレス設定でｎ＋１回押した釦の入力
１８ｄ  アドレス設定でｎ＋１回押した釦の出力
【図１】
2008063054.tif 000003
【図２】
2008063054.tif 000004
【図３】
2008063054.tif 000005
【図４】
2008063054.tif 000006
【図５】
2008063054.tif 000007
【図６】
2008063054.tif 000008